(57)【要約】【課題】電子書籍を読む際に、ページ進行に同期して照明装置を使用した光による演出を行う。【解決手段】本発明に係る電子書籍プログラムは、照明制御情報は、ページに対応付けられた照明制御コマンドを含んで構成され、ページ移動の指示を受付ける受付処理と、受付処理で指示されたページに対応するページ構成情報を読出して表示部に表示する表示処理と、受付処理で指示されたページに対応する照明制御コマンドを、外部装置としての照明装置に送信する照明制御処理とを、携帯端末に実行させることを特徴とする。【選択図】図２
2017183000.tif 000002
【特許請求の範囲】
【請求項１】
電子書籍情報を再生する電子書籍プログラムであって、
電子書籍情報は、作品情報、少なくとも照明制御情報を含んだ外部制御情報を含んで構成され、
作品情報は、画像もしくは文字で構成され、ページに対応付けられたページ構成情報を含んで構成され、
照明制御情報は、ページに対応付けられた照明制御コマンドを含んで構成され、
ページ移動の指示を受付ける受付処理と、
受付処理で指示されたページに対応するページ構成情報を読出して表示部に表示させる表示処理と、
受付処理で指示されたページに対応する照明制御コマンドを、外部装置としての照明装置に送信する照明制御処理とを、情報処理装置に実行させることを特徴とする
電子書籍プログラム。
【請求項２】
外部制御情報は、音響制御情報を含み、
音響制御情報は、ページに対応付けられた音響制御コマンドを含んで構成され、
受付処理で指示されたページに対応する音響制御コマンドを、外部装置としての音響装置に送信する音響制御処理を、情報処理装置に実行させることを特徴とする
請求項１に記載の電子書籍プログラム。
【請求項３】
照明制御処理は、ページを開いてから所定時間を経過したことを条件として、照明制御コマンドを照明装置に送信することを特徴とする
請求項１または請求項２に記載の電子書籍プログラム。
【請求項４】
照明制御コマンドは、ページを開いてから経過した時間経過に対応し、
照明制御処理は、ページの最後に規定された照明制御コマンドの送信前にページの移動が指示された場合、移動前のページ中、最後に規定された照明制御コマンドを送信することを特徴とする
請求項１から請求項３の何れか１項に記載の電子書籍プログラム。
【請求項５】
照明制御コマンドは、ページを開いてから経過した時間経過に対応し、
照明制御処理は、複数ページの移動が指示された場合、移動先のページの前ページ中、最後に規定された照明制御コマンドを送信することを特徴とする
請求項１から請求項４の何れか１項に記載の電子書籍プログラム。
【請求項６】
照明制御情報は、色、明るさ、パターンの内、少なくとも１つを制御することを特徴とする
請求項１から請求項５の何れか１項に記載の電子書籍プログラム。
【請求項７】
照明制御コマンドは、ページを開いてから経過した時間経過に対応し、
受付処理は、ページを開いてからページで規定されている全ての照明制御コマンドが送信されるまで、ページ移動の指示を受付けないことを特徴とする
請求項１から請求項６の何れか１項に記載の電子書籍プログラム。
【請求項８】
表示処理は、読み出したページ構成情報を、携帯端末に送信することで、ページ構成情報を携帯端末の表示部に表示させることを特徴とする
請求項１から請求項７の何れか１項に記載の電子書籍プログラム。
【請求項９】
表示処理は、読み出したページ構成情報を、カラオケ装置に送信することで、ページ構成情報をカラオケ装置側の表示部に表示させることを特徴とする
請求項１から請求項７の何れか１項に記載の電子書籍プログラム。
【発明の詳細な説明】
【技術分野】
【０００１】
本発明は、携帯端末においてコミック、小説など、各種電子書籍を読むことを可能とする電子書籍プログラムに関する。
【背景技術】
【０００２】
現在、スマートホン、タブレット端末等の各種携帯端末が普及する中、携帯端末を使用した各種サービスが行われている。電子書籍サービスも携帯端末を使用したサービスの１つとして普及が拡大している。ユーザーは書店に来店すること無く、インターネット等の通信回線を介して、電子書籍を購入あるいはレンタルし、携帯端末に表示させて書籍を読むことが可能である。
【０００３】
特許文献１には、このような電子書籍サービスについて、電子書籍を閲覧する際、電子書籍の内容と関連する楽曲を取得して再生する情報処理装置が開示されている。この情報処理装置によれば、電子書籍に対応する楽曲を再生することで、ユーザーは臨場感のある書籍閲覧を行うことが可能となる。
【先行技術文献】
【特許文献】
【０００４】
【特許文献１】特開２０１０−６８０４４号公報
【発明の概要】
【発明が解決しようとする課題】
【０００５】
特許文献１では、電子書籍に対応した楽曲を再生することで、電子書籍を閲覧する際の雰囲気形成が行われる。本発明は、電子書籍を閲覧する際、楽曲再生とは異なる他の観点による新たな雰囲気形成を行うことを目的とする。
【課題を解決するための手段】
【０００６】
そのため本発明に係る電子書籍プログラムは、以下の構成を採用したことを特徴としている。
電子書籍情報を再生する電子書籍プログラムであって、
電子書籍情報は、作品情報、少なくとも照明制御情報を含んだ外部制御情報を含んで構成され、
作品情報は、画像もしくは文字で構成され、ページに対応付けられたページ構成情報を含んで構成され、
照明制御情報は、ページに対応付けられた照明制御コマンドを含んで構成され、
ページ移動の指示を受付ける受付処理と、
受付処理で指示されたページに対応するページ構成情報を読出して表示部に表示させる表示処理と、
受付処理で指示されたページに対応する照明制御コマンドを、外部装置としての照明装置に送信する照明制御処理とを、情報処理装置に実行させることを特徴とする。
【０００７】
さらに本発明に係る電子書籍プログラムにおいて、
外部制御情報は、音響制御情報を含み、
音響制御情報は、ページに対応付けられた音響制御コマンドを含んで構成され、
受付処理で指示されたページに対応する音響制御コマンドを、外部装置としての音響装置に送信する音響制御処理を、情報処理装置に実行させることを特徴とする。
【０００８】
さらに本発明に係る電子書籍プログラムにおいて、
照明制御処理は、ページを開いてから所定時間を経過したことを条件として、照明制御コマンドを照明装置に送信することを特徴とする。
【０００９】
さらに本発明に係る電子書籍プログラムにおいて、
照明制御コマンドは、ページを開いてから経過した時間経過に対応し、
照明制御処理は、ページの最後に規定された照明制御コマンドの送信前にページの移動が指示された場合、移動前のページ中、最後に規定された照明制御コマンドを送信することを特徴とする。
【００１０】
さらに本発明に係る電子書籍プログラムにおいて、
照明制御コマンドは、ページを開いてから経過した時間経過に対応し、
照明制御処理は、複数ページの移動が指示された場合、移動先のページの前ページ中、最後に規定された照明制御コマンドを送信することを特徴とする。
【００１１】
さらに本発明に係る電子書籍プログラムにおいて、
照明制御情報は、色、明るさ、パターンの内、少なくとも１つを制御することを特徴とする。
【００１２】
さらに本発明に係る電子書籍プログラムにおいて、
照明制御コマンドは、ページを開いてから経過した時間経過に対応し、
受付処理は、ページを開いてからページで規定されている全ての照明制御コマンドが送信されるまで、ページ移動の指示を受付けないことを特徴とする。
【００１３】
さらに本発明に係る電子書籍プログラムにおいて、
表示処理は、読み出したページ構成情報を、携帯端末に送信することで、ページ構成情報を携帯端末の表示部に表示させることを特徴とする。
【００１４】
さらに本発明に係る電子書籍プログラムにおいて、
表示処理は、読み出したページ構成情報を、カラオケ装置に送信することで、ページ構成情報をカラオケ装置側の表示部に表示させることを特徴とする。
【発明の効果】
【００１５】
本発明に係る電子書籍プログラムによれば、電子書籍の閲覧進行に同期して、携帯端末、カラオケ装置、セットトップボックス等、各種情報処理装置の外部に設置された照明装置を制御することで、閲覧中の内容に同期した光による演出を楽しむことが可能となる。
【図面の簡単な説明】
【００１６】
【図１】電子書籍情報の配信を説明するための図
【図２】携帯端末を使用して電子書籍を読んでいる状況を示す図
【図３】携帯端末の構成を示すブロック図
【図４】外部照明装置の構成を示すブロック図
【図５】外部音響装置の構成を示すブロック図
【図６】電子書籍情報に関する各種データ構成を示す図
【図７】電子書籍のページ構成の一例を示す図
【図８】外部制御情報による外部照明装置、外部音響装置の制御を示すタイムチャート
【図９】電子書籍プログラムのメイン処理を示すフロー図
【図１０】照明制御処理を示すフロー図
【図１１】カラオケシステムを使用して電子書籍を読んでいる状況を示す図
【図１２】カラオケシステムの構成を示すブロック図
【図１３】カラオケ装置で実行される楽曲再生処理を示すフロー図
【図１４】カラオケシステムのモニターに表示される画面を示す図
【図１５】カラオケ装置で実行される電子書籍プログラムを説明するための図
【図１６】セットトップボックスで実行される電子書籍プログラムを説明するための図
【発明を実施するための形態】
【００１７】
図１は、電子書籍情報の配信を説明するための図である。本実施形態では、ユーザーは携帯端末１で電子書籍プログラムを起動することで、電子書籍情報を閲覧することが可能である。本実施形態では、電子書籍情報の配信を第１サーバー装置７、第２サーバー装置８で分担して行うこととしている。第１サーバー装置７は、各種処理を実行する制御部７１と、インターネット等の通信網に接続するための通信部７２を備えて構成されている。第２サーバー装置８も同様に、各種処理を実行する制御部８１と、インターネット等の通信網に接続するための通信部８２を備えて構成されている。携帯端末１は、無線ＬＡＮ、携帯網通信等を使用した通信部９を介して通信網にアクセスし、第１サーバー装置７、第２サーバー装置８と通信することが可能である。
【００１８】
本実施形態の電子書籍情報は、電子書籍を閲覧するための作品情報と、電子書籍を閲覧中、各種外部装置を制御するための外部制御情報で構成されている。第１サーバー装置７は、作品情報を提供するサーバー装置であって、作品情報を記憶した作品本体データベース７４と、作品情報を検索するための作品検索データベース７３を有して構成されている。
【００１９】
図６（ａ）には、作品検索データベース７３で管理する検索用情報のデータ構成が示されている。検索用情報は、書籍ＩＤ、書籍名、作者名、ジャンル、出版社名、出版日等、作品情報に関する各種情報を含んで構成されている。携帯端末１を使用するユーザーは、まず、第１サーバー装置７に記憶される作品検索データベースを使用して、閲覧したい作品を検索する。閲覧したい作品が決まると、作品情報が携帯端末１に送信され、携帯端末１で作品情報を閲覧することが可能となる。その際、携帯端末１は作品情報に対応する外部制御情報を第２サーバー装置８から受信する。本実施形態の外部制御情報には、照明制御情報と音響制御情報が含まれており、作品情報を閲覧する際、これらの外部制御情報を使用して、外部照明装置、外部音響装置が制御される。したがって、携帯端末１で作品情報を閲覧するユーザーは、作品情報の閲覧に同期して、照明、並びに、音響による雰囲気を楽しむことが可能となる。
【００２０】
図２は、携帯端末１を使用して電子書籍を読んでいる状況が示されている。ユーザーは、電子書籍情報を構成する作品情報を携帯端末１の画面に表示させて、作品情報の閲覧を行う。また、閲覧中の作品情報に対応する照明制御情報によって外部照明装置２が制御され、閲覧中の画面に対応した光による雰囲気作りが行われる。また、外部音響装置３によってスピーカー３４Ｒ、３４Ｌから効果音、ＢＧＭ等が放音され音響による雰囲気作りが行われる。このようにユーザーは、外部照明装置２、外部音響装置３を使用して、閲覧状況に応じた光、音響による雰囲気を楽しむことが可能である。外部照明装置２、外部音響装置３は家庭には設置されていないことが考えられる。例えば、カラオケボックスに外部照明装置２、外部音響装置３を用意しておくことで、ユーザーは費用をかけること無く、カラオケボックスに来店することで、これら環境を使用した電子書籍の閲覧を楽しむことが可能となる。
【００２１】
図３は、本発明の実施形態に係る携帯端末１の構成を示す図である。この携帯端末１としては、スマートホン、タブレット端末、携帯電話等を使用することが可能である。この携帯端末１に、本発明に係る電子書籍プログラム（アプリ）をインストールすることで、漫画や小説等の電子書籍を読むことが可能となる。
【００２２】
本実施形態の携帯端末１は、制御部１１、ＲＡＭ１２、記憶部１３、画像処理部１４、音響処理部１５を含んで構成された制御手段を有している。記憶部１３には、ＮＡＮＤ型フラッシュメモリ等の不揮発性の記憶手段を採用することが可能である。この記憶部１３には、本実施形態における電子書籍プログラム、そして、当該プログラムで使用する各種データが記憶される。
【００２３】
制御部１１は、ＣＰＵ等、携帯端末１全体を統括して制御する手段であり、記憶部１３に記憶されたプログラム、データに基づいて各種制御を実行する。ＲＡＭ１２には、制御部１１の制御によって生成されたデータを一時的に格納する。
【００２４】
音響処理部１５は、携帯端末１の音響関係の入出力を行う手段である。制御部１１の制御によりスピーカー１６ａに放音させる手段である。また、音響処理部１６は、マイクロホン１６ｂと接続され、マイクロホン１６ｂから周囲の音声を取り込み可能としている。
【００２５】
タッチパネル表示部１７は、画像を表示する表示部１７ｂとその表面あるいは裏面に配設されるタッチパネル１７ａを有して構成されている。タッチパネル１７ａには、静電容量方式などユーザーのタッチ位置を認識可能とする各種タイプを採用することが可能である。制御部１１は、表示部１７ｂに表示を行うとともに、タッチパネル１７ａからのタッチ入力にて、表示させている画像中のどの部分にタッチ入力されたかを判定することが可能である。画像処理部１４は、携帯端末１の画像関係の入出力を行う手段である。画像処理部１４は、制御部１１で形成された画像情報を表示部１７ｂに表示出力する。
【００２６】
本実施形態の携帯端末１は、外部と通信を行うため、無線ＬＡＮ通信部１８ａ、Ｂｌｕｅｔｏｏｔｈ（登録商標）規格の近距離無線通信部１８ｂを備えている。無線ＬＡＮ通信部６９ｂは、ＬＡＮ上に接続されたアクセスポイントに無線接続することで無線ＬＡＮ通信を行うことが可能である。アクセスポイントに無線接続することで、ＬＡＮ上のネットワークやインターネット等に通信接続することが可能である。近距離無線通信部１８ｂは、近距離での無線通信を行うための通信部であって、同規格の装置と双方向の通信を行うことが可能である。この他、携帯端末１には携帯網通信部を備えるものを使用してもよい。携帯網通信部は、携帯無線網を介した無線通信を行うことが可能であり、無線基地局と無線通信することで、通話、あるいは、インターネットを使用した通信を行うことが可能である。
【００２７】
携帯端末１は、このような無線ＬＡＮ通信部１８ａ、近距離無線通信部１８ｂを使用して、インターネット上のサーバー装置から電子書籍プログラム等、各種プログラム（「アプリ」とも呼ばれる）をダウンロードすることが可能である。なお、これらプログラムは、通信回線を利用した形態以外に、外部メモリ接続端子２１に接続された外部メモリＥＸを使用して携帯端末１に取り込む（インストールする）こととしてもよい。
【００２８】
本実施形態の携帯端末１は、入力手段としてタッチパネル１７ａ以外に入力スイッチ１９を備えて構成されている。この入力スイッチ１９には、電源スイッチ、音量調整スイッチ、実行するプログラムによって入力用途が変更されるスイッチ等、各種スイッチを設けることが可能である。
【００２９】
本実施形態の携帯端末１は、電子書籍の管理業者によって提供される電子書籍プログラムをインストール、実行することで、携帯端末１を使用した各種電子書籍の閲覧を行うことが可能となる。また、携帯端末１は、無線ＬＡＮ通信部１８ａを介して、カラオケボックス、自宅等の施設内に設けられたＬＡＮネットワークを介して、外部照明装置２あるいは外部音響装置３と通信することが可能である。
【００３０】
図４は、外部照明装置２の構成を示すブロック図である。外部照明装置２は、無線ＬＡＮ通信部２２、制御部２４、赤、緑、青を発光可能なＬＥＤ２３Ｒ、２３Ｇ、２３Ｂを有して構成されている。なお、ＬＥＤ２３Ｒ、２３Ｇ、２３Ｂは図に示すように各色が分離した形態であってもよいし、あるいは、３色のＬＥＤ２３Ｒ、２３Ｇ、２３Ｂが１つにパッケージ化された形態であってもよい。無線ＬＡＮ通信部２２は、ＬＡＮネットワークに設けられたアクセスポイントと通信することで、ＬＡＮネットワークに通信接続された携帯端末１と通信することが可能である。なお、本実施形態では、携帯端末１との通信にＬＡＮネットワークを使用しているが、Ｂｌｕｅｔｏｏｔｈ（登録商標）規格による近距離通信等、他の通信形態を使用することとしてもよい。制御部２４は、無線ＬＡＮ通信部２２で受信した照明制御情報中の照明制御コマンドに基づいてＬＥＤ２３Ｒ、２３Ｇ、２３Ｂを発光させる。本実施形態の照明制御コマンドは、色、明るさ、パターンを使用して外部照明装置２を発光させることが可能である。
【００３１】
図５は、外部音響装置３の構成を示すブロック図である。外部音響装置３は、無線ＬＡＮ通信部３２、制御部３１、記憶部３３を含んで構成されている。無線ＬＡＮ通信部３２は、ＬＡＮネットワークに設けられたアクセスポイントと通信することで、ＬＡＮネットワークに通信接続された携帯端末１と通信することが可能である。なお、本実施形態では、携帯端末１との通信にＬＡＮネットワークを使用しているが、Ｂｌｕｅｔｏｏｔｈ（登録商標）規格による近距離通信等、他の通信形態を使用することとしてもよい。記憶部３３には、効果音、ＢＧＭ等を記録した音響ファイルが記憶されている。制御部２４は、無線ＬＡＮ通信部２２で受信した音響制御情報中の音響制御コマンドに基づいて音響ファイルを再生し、スピーカー３４Ｒ、３４Ｌから放音する。本実施形態の音響制御コマンドには、再生する音響ファイルのファイル名、音量、効果が含まれており、音響ファイルを再生する際、音量、効果（エコー、残響、音程、再生速度）が制御された音響を放音することが可能である。
【００３２】
図６（ｂ）は、作品情報のデータ構成である。本実施形態の作品情報は、ページ番号Ｐに対応付けられたページ構成情報を複数含んで構成されている。ページ構成情報は、作品の１ページを構成する情報であって、画像情報、文字情報等を含んで構成されている。本実施形態では、ページ構成情報に基づいて、タッチパネル表示部１７に表示することで、コミック等の漫画、あるいは、小説等の作品を閲覧することが可能となる。
【００３３】
図６（ｃ）は、外部照明装置２、外部音響装置３等、携帯端末１の外部装置を制御する外部制御情報である。本実施形態では、図６（ｃ１）に記載された照明制御情報と図６（ｃ２）に記載された音響制御情報が使用される。照明制御情報は、書籍ＩＤで作品情報と対応付けられている。また、ページ番号Ｐに対応付けられた１乃至複数の照明制御コマンドを含んで構成されている。照明制御コマンドは、照明の色、明るさ、パターン等を含んで構成された外部照明装置２を制御するためのコマンドである。また、照明制御コマンドの間には、照明制御コマンドの時間間隔ｔが規定されている。
【００３４】
携帯端末１を操作するユーザーによりページがめくられた場合、まず先頭の照明制御コマンドが読み出され（例えば、１ページ目の場合、照明制御コマンド１）、外部照明装置２が制御される。その後、時間間隔ｔが経過すると次の照明制御コマンドが読み出され（例えば、照明制御コマンド１が読み出された後、時間間隔ｔ１が経過すると照明制御コマンド２が読み出される）、外部照明装置２が制御される。なお、本実施形態では、各ページの最後にも時間間隔ｔ（例えば、１ページ目の場合、時間間隔ｔ３がこれに相当する）が設けられている。携帯端末１では、通常の書籍と同様、２ページ文のページ構成情報を同時にタッチパネル表示部１７に表示する見開きモードを使用することが可能である。各ページの最後に規定された時間間隔ｔは、見開きモードを使用している場合に使用される情報であり、例えば、１ページ目と２ページ目を見開きモードで表示している場合、１ページ目の最後に規定される照明制御コマンド３を使用して外部照明装置２を制御した後、時間間隔ｔ３経過後、２ページ目の最初に規定された照明制御コマンド４を使用して外部照明装置２を制御する。このように本実施形態では、見開きモードを使用した場合であっても適切に外部照明装置２を制御することが可能となっている。
【００３５】
ここで、時間間隔ｔの設定について説明する。図７は、電子書籍のページ構成の一例を示した図である。コミック等の漫画では、図７に示すように１ページ中が複数のコマＢ１〜Ｂ６でコマ割されている。電子書籍を閲覧するユーザーは、所定の順番でコマＢ１〜Ｂ６を読み進めることになるが、本実施形態では、各コマＢ１〜Ｂ６に適した雰囲気で外部照明装置２を制御する。例えば、図７に示すようシーンＳ１（コマＢ１〜Ｂ３）、シーンＳ２（コマＢ４、Ｂ５）、シーンＳ３に分け、各シーンＳに対応した照明制御コマンドが割り当てられる。時間間隔ｔは、前のシーンＳのコマ数、台詞の文字数の少なくとも一方を使用して規定される。例えば、シーンＳ１とシーンＳ２の間の時間間隔ｔ１は、シーンＳ１のコマ数あるいは台詞の文字数をカウントして決定される。また、シーンＳ２とシーンＳ３の間の時間間隔ｔ２は、シーンＳ２のコマ数あるいは台詞の文字数をカウントして決定される。このように時間間隔を設定することで、ユーザーがコマＢ１〜Ｂ６の読み進み状態に同期して、外部照明装置２を制御することが可能となる。
【００３６】
一方、音響制御情報は、図６（ｃ２）に記載されたデータ構成を有する。照明制御情報と同様、書籍ＩＤで作品情報と対応付けられている。また、ページ番号Ｐに対応付けられた１乃至複数の音響制御コマンドを含んで構成されている。音響制御コマンドは、再生する音響ファイルのファイル名、音量、エコー、残響、音程、再生速度等、音響ファイルの再生時における効果を含んで構成された外部音響装置３を制御するためのコマンドである。また、音響制御コマンドの間には、音響制御コマンドの再生タイミングｓが規定されている。
【００３７】
携帯端末１を操作するユーザーによりページがめくられた場合、ページがめくられてから再生タイミングｓ経過した時点で、音響制御コマンドが読み出され（例えば、１ページ目の場合、ページがめくられてからｓ１経過した時点で、音響制御コマンド１が読み出される）、外部音響装置３が制御される。具体的には、音響制御コマンド内のファイル名に対応する音響ファイルが読み出され、音響制御コマンド内の音量、効果を使用して再生される。このように再生タイミングｓは、ページをめくるタイミングを起点とした音響制御コマンドを再生するまでの時間を示す情報である。なお、本実施形態では、各ページの最後にページ時間長Ｔが設定されている。これは見開きモードを使用している場合に使用される情報であり、各ページを読むのに必要な時間に相当する情報である。例えば、１ページ目と２ページ目を見開きモードで表示している場合、２ページ目の音響制御コマンド４の再生タイミングｓ４には、１ページ目のページ時間長が加算される。このように本実施形態では、見開きモードを使用した場合であっても適切なタイミングで外部音響装置３を制御することが可能となっている。
【００３８】
図８は、外部制御情報による外部照明装置、外部音響装置の制御を示すタイムチャートである。このタイムチャートは、図６に示す照明制御情報、音響制御情報のデータ構成に従ったタイムチャートである。図８（Ａ）は十分な時間を設けてページ送りした場合の例である。図６（ｃ１）の照明制御情報で説明したように、第１ページＰ１が開かれると、照明制御コマンド１が読み出されて外部照明装置２が制御される。その後、時間間隔ｔ１が経過すると次の照明制御コマンド２が読み出される。更に時間間隔ｔ２が経過すると次の照明制御コマンド３が読み出される。そして、その後、第２ページＰ２が開かれると、第２ページの先頭に規定された照明制御コマンド４が読み出される。
【００３９】
音響制御情報については、ページを開いてからの経過時間が再生タイミングｓとなったとき、対応する音響制御コマンドを読出し、音響制御コマンド中のファイル名に対応する音響制御ファイルが再生される。このように、照明制御コマンド、音響制御コマンドを使用することで、電子書籍の閲覧進行に応じた光、音による雰囲気を楽しむことが可能である。
【００４０】
ところで、電子書籍のページめくりは、ユーザーの操作によって行われるため、必ず、ページ内の全ての照明制御コマンドを実行してから次のページに進むとは限らない。しかしながら、光による雰囲気形成は、前のページからの遷移で特徴付けられる場合がある。本実施形態では、このような事情を考慮し、想定以上にページが早くめくられた場合であっても、前のページからの光による雰囲気の遷移を形成することとしている。図８（Ｂ）は、図８（Ａ）と同じ照明制御コマンドによって制御される場合であり、第２ページＰ２が想定よりも早くページめくりされ、照明制御コマンド３が読み出されなかった場合を示している。このような場合、本実施形態では、第２ページＰ２を表示する際、あるいは、第１ページから第２ページに遷移する際に、第１ページの最後に規定されている照明制御コマンド３を読出して外部照明装置２を制御する。その上で、第２ページの先頭に規定されている照明制御コマンド４を読出して外部照明装置２の制御を行うこととしている。このような構成により、ページ間の遷移時における光による雰囲気形成を確実に行うことを可能としている。
【００４１】
なお、想定以上にページが早くめくられることで、ページ内に規定された全ての照明制御コマンドが送信されなくなることを抑制するため、ページ内に規定されている全ての照明制御コマンドが送信されるまでは、ユーザーによるページ移動の指示を受け付けないこととしてもよい。その場合、ページを開いた後、ページ内に規定されている全ての照明制御コマンドによる外部照明装置２の制御が行われた後にページ移動が許可されることになる。
【００４２】
では、このような特徴を有する電子書籍プログラムの処理について説明する。図９は、電子書籍プログラムのメイン処理を示すフロー図である。携帯端末１において作品が選択される（Ｓ１０１：Ｙｅｓ）と、選択された作品に対応する電子書籍情報が取得される。この電子書籍情報には、作品情報、照明制御情報、音響制御情報が含まれている。そして、取得した電子書籍情報に基づき、閲覧処理（Ｓ１０３）、照明制御処理（Ｓ２００）、音響制御処理（Ｓ１０４）が実行される。
【００４３】
閲覧処理（Ｓ１０３）は、電子書籍情報中の作品情報に基づき、携帯端末１のタッチパネル表示部１７にページのページ構成情報を表示する処理である。この閲覧処理（Ｓ１０３）を実行することで、ユーザーはタッチパネル表示部１７に表示された漫画等を楽しむことが可能となる。また、閲覧処理（Ｓ１０３）は、ユーザーによるタッチパネル１７ａの操作等によるページの移動指示に基づき、タッチパネル表示部１７に表示されるページ構成情報を変更する。また、ユーザーのページの移動指示に基づき、移動先のページ番号を引数として照明制御処理（Ｓ２００）、音響制御処理（Ｓ１０４）に渡す。照明制御処理（Ｓ２００）、音響制御処理（Ｓ１０４）は、引数（ページ番号）に基づいて処理を実行することで、開いたページに即した雰囲気の光、音による効果を演出する。
【００４４】
図１０は、照明制御処理（Ｓ２００）を示すフロー図である。照明制御処理（Ｓ２００）は、閲覧処理（Ｓ１０３）から引数としてのページ番号Ｎを受信して処理を実行する。まず、現在、閲覧している作品情報のページ番号Ｎの照明制御情報を取得（Ｓ２０１）し、先頭に規定されている照明制御コマンドを外部照明装置２に送信する（Ｓ２０２）。外部照明装置２は、受信した照明制御コマンドに基づいて、ＬＥＤ２３Ｒ、２３Ｇ、２３Ｂを点灯させる。その後、照明制御情報中、各照明制御コマンド間に規定されている時間間隔ｔを監視し、この時間間隔ｔが到来する毎に照明制御コマンドを外部照明装置２に送信し、外部照明装置２における照明を変化させる。その間において、閲覧処理（Ｓ１０３）において、１ページずつページを順送りするページ送りがあったか（Ｓ２０４）、あるいは、ページを飛ばして読む等、ページ送り以外の形態でのページ変更があったか（Ｓ２０８）、あるいは、閲覧処理（Ｓ１０３）が終了したか（Ｓ２１１）を監視が行われる。
【００４５】
ページ送りがあった場合（Ｓ２０４：Ｙｅｓ）には、図８（Ｂ）で説明した処理が実行される。具体的には、現在、読み込まれている照明制御情報中、最後に送信すべき照明制御コマンド（最終制御コマンド）が、Ｓ２０２において外部照明装置２に送信されているか否かを判定する（Ｓ２０５）。最終照明制御コマンドが送信済みの場合（Ｓ２０５：Ｙｅｓ）には、照明制御処理の先頭に戻って、次のページ番号Ｎの照明制御情報が取得される（Ｓ２０１）。一方、最終照明制御コマンドが送信済みでない場合（Ｓ２０５：Ｎｏ）には、まだ送信していない最終照明制御コマンドを外部照明装置２に送信（Ｓ２０６）し、所定時間のウェイトを設けた（Ｓ２０７）後、照明制御処理の先頭に戻って、次のページ番号Ｎの照明制御情報が取得される（Ｓ２０１）。このような処理により、図８（Ｂ）で説明したように、想定以上にページが早くめくられた場合であっても、前のページに規定された最終照明制御コマンドで外部照明装置２を制御した上で、次のページの照明制御コマンドで外部照明装置２を制御するため、ページ送り時における光の遷移による雰囲気形成を行うことが可能となる。
【００４６】
電子書籍を読むときには、１ページずつページを順送りするページ送りのみならず、ページ番号を指定して、当該ページにジャンプする等、ページ変更を行うことが可能である。ページ変更が行われた場合も同様であって、前のページの最終照明制御コマンドを読み込んで外部照明装置２に送信する（Ｓ２０９）ことで、ページ変更時における光の遷移による雰囲気形成を行うことが可能となる。ページ変更の場合も、最終照明制御コマンドを送信した（Ｓ２０９）当該最終照明制御コマンドによる制御を一定期間行うため、所定時間のウェイト（Ｓ２１０）が設けられる。
【００４７】
また、電子書籍の閲覧を終了した場合、それに同期して外部照明装置２を消灯する、あるいは、初期状態に戻すことが好ましい。本実施形態では、閲覧処理（Ｓ１０３）の終了が判定された場合（Ｓ２１１：Ｙｅｓ）、外部照明装置２にリセット情報を送信（Ｓ２１２）、外部照明装置２を消灯、あるいは初期状態に戻して処理を終了する。このように本実施形態の照明制御処理（Ｓ２００）では、ユーザーが電子書籍を読む進行に同期して、外部照明装置２を制御することで、電子書籍の内容に応じた光による雰囲気形成を行うことが可能となる。
【００４８】
なお、照明制御処理（Ｓ２００）の制御は、各種変形例を採用することが可能である。本実施形態では、照明制御コマンド間の時間間隔ｔによって制御しているが、音響制御コマンドの場合と同様、タイミングで制御することとしてもよい。また、電子書籍では、通常の書籍と同様、読みたいページを探す、概要を確認したい場合など、短い時間間隔でパラパラとページをめくることが行われる。このような場合に、逐次、照明制御コマンドによる外部照明装置２を制御した場合、外部照明装置２が短い期間で切り替えられることになり、ユーザーが不快に思うことも考えられる。このような事情を考慮し、ページ毎の表示時間を計時し、計時されたページの表示時間が所定時間を計時したことを条件として、照明制御コマンドを外部照明装置２に送信することとしてもよい。あるいは、ユーザーのページめくりについて、パラパラとページをめくる形態であることを判定し、その期間中には、照明制御コマンドを外部照明装置２に送信しない形態としてもよい。
【００４９】
また、ユーザーによって読む速度が異なることから、照明制御コマンド間の時間間隔ｔでは照明による演出のタイミングがずれることが考えられる。このような事情を考慮し、ユーザーが設定した閲覧速度、あるいは、ユーザーのページめくり速度から算出した閲覧速度を使用して、時間間隔ｔを調整することとしてもよい。例えば、閲覧速度が想定よりも早い場合には、時間間隔ｔに対し、閲覧速度に応じた係数（この場合１より小さい）を演算して、照明制御コマンドの送信タイミングを早めることが考えられる。一方、閲覧速度が想定よりも遅い場合には、時間間隔ｔに対し、閲覧速度に応じた係数（この場合１より大きい）を演算して、照明制御コマンドの送信タイミングを遅くすることが考えられる。
【００５０】
以上、外部照明装置２を使用した光による雰囲気形成を行う実施形態について説明したが、カラオケボックスにおいて、この電子書籍サービスを提供する場合、カラオケボックスにある既存の装置（カラオケ装置、リモコン装置やモニター）を活用することとしてもよい。外部照明装置２等、新たな設備を導入する必要性を抑え、カラオケボックスにおける電子書籍サービス導入の敷居を低くすることが可能である。
【００５１】
また、本実施形態では、１の外部照明装置２を使用した形態としているが、複数の外部照明装置２を設けることも可能である。その場合、同じ照明制御情報を使用して制御することで光による雰囲気の範囲拡張を図ることとしてもよいし、各外部照明装置２用に対応した照明制御情報で制御することで、外部照明装置２が配置された空間毎に異なる光の演出を行うこととしてもよい。
【００５２】
図１１は、カラオケボックス等に設置されたカラオケシステムを使用して電子書籍を読んでいる状況を示す図である。図１１に示されるように、カラオケボックスに設置されるカラオケシステムは、大型のタッチパネルモニター５９を備えたカラオケ装置５、背景映像や歌詞を表示するためのモニター６１、伴奏、歌唱音声を拡声するためのスピーカー６２Ｒ、６２Ｌが設けられている。また、ＬＡＮ、無線ＬＡＮ等の通信環境も整っているため、電子書籍サービスを容易に導入することが可能である。ユーザーは、携帯端末１を操作することで、携帯端末１上、あるいは、モニター６１やタッチパネルモニター５９にページ構成情報を表示させ、電子書籍の閲覧を楽しむことが可能である。また、外部照明装置２に代え、モニター６１、タッチパネルモニター５９により光による雰囲気形成を行うことが可能である。さらに、カラオケ装置５で音響再生し、スピーカー６２Ｒ、６２Ｌから拡声させることで、音響を使用した雰囲気形成も可能である。
【００５３】
図１２は、本実施形態のカラオケシステムの構成を示す図である。本実施形態におけるカラオケシステムは、カラオケ装置５（コマンダと呼ばれることもある）と、リモコン装置４を含んで構成されている。カラオケ装置５とリモコン装置４は、ＬＡＮ１００及びアクセスポイント１１０を利用してネットワークを形成するように接続されている。
【００５４】
カラオケボックスなどの店舗に設置されるカラオケ装置５は、楽曲を演奏するための演奏部として音響制御部５５を備えている。また、カラオケ装置５は、ユーザーからの各種入力を受け付ける操作部５１を備える。カラオケ装置５は、操作部５１からの入力を解釈してＣＰＵ５０に伝達する操作処理部５２を備える。また、カラオケ装置５は、各種情報を記憶する記憶部としてのハードディスク５３を備える。カラオケ装置５は、ＬＡＮ１００に接続してネットワークに加入する通信手段としてのＬＡＮ通信部５５ａを備えている。また、本実施形態のカラオケ装置５は、無線ＬＡＮ通信部５５ｂも備えており、ＬＡＮ通信部５５ａを使用した有線によるネットワーク接続に代え、無線ＬＡＮ通信部５５ｂを使用した無線によるネットワーク接続を行うことも可能である。
【００５５】
また、カラオケ装置５は、モニター６１に対して歌詞映像、背景映像を表示させる映像再生手段を備える。この映像再生手段は、映像情報に基づいて映像を再生する映像再生部５８ｂ、再生する映像を一時的に蓄積するビデオＲＡＭ５８ａ、再生された映像に対する歌詞テロップの重畳、映像効果の付与等を行う映像制御部６０を備えて構成される。
【００５６】
さらに、このカラオケ装置５では、外部に接続されるモニター６１以外に、タッチパネルモニター５９に対して各種情報を表示することを可能としている。タッチパネルモニター５９は映像制御部６０から入力された映像情報を表示する表示部５９ａと、タッチ入力された位置を操作処理部５２に出力するタッチパネル５９ｂが重畳されて構成されている。このタッチパネルモニター５９は、カラオケ装置５の操作部５１、あるいは、リモコン装置４のタッチパネルモニター４１などと同様、入力部として機能する。ユーザーは、タッチパネルモニター５９にて楽曲を選択することで、直接カラオケ装置５に予約させる等、カラオケ装置５に対する各種操作を行うことが可能である。
【００５７】
さらに、カラオケ装置５は、各構成を統括して制御するためのＣＰＵ５０、各種プログラムを実行するにあたって必要となる情報を一時記憶するためのメモリ５７を含んだ制御部を備えて構成されている。
【００５８】
このような構成にてカラオケ装置５は、各種処理を実行することとなるが、カラオケ装置５の主な機能として、楽曲予約処理、楽曲再生処理などを実行可能としている。楽曲予約処理は、ユーザーからの指定に基づいて楽曲を指定、予約するための処理であってリモコン装置４と連携して実行される。リモコン装置４の選曲処理で形成された予約情報は、カラオケ装置５に送信される。カラオケ装置５は、受信した予約情報をメモリ５７中の予約テーブルに登録する。楽曲再生処理は、予約された楽曲を再生させる処理であって、楽曲演奏処理と歌詞表示処理とが同期して実行される処理である。
【００５９】
楽曲演奏処理は、楽曲情報に含まれる演奏情報に基づき、音響制御部５６に演奏を実行させる処理である。音響制御部５６にて演奏された楽曲は、マイクロホン６３ａ、６３ｂから入力される歌唱音声と一緒にスピーカー６２Ｒ、６２Ｌから放音される。歌詞表示処理は、楽曲情報に含まれる歌詞情報をモニター６１に表示させることで歌唱補助を行う処理である。この歌詞表示処理で表示される歌詞に、背景映像を重畳させて表示させる背景映像表示処理を実行することとしてもよい。
【００６０】
一方、リモコン装置４は、ユーザーからの指示に基づいて楽曲を検索し、再生指示のあった楽曲について予約情報をカラオケ装置５に送信する選曲処理を実行可能としている。また、リモコン装置４は、カラオケ装置５あるいはインターネット上に接続されたサーバー装置から各種情報を受信し、各種処理を実行することが可能である。本実施形態では、ユーザーから各種指示を受け付けるユーザーインターフェイスとして、操作部４７と、タッチパネルモニター４１を備えている。タッチパネルモニター４１は、表示部４１ａとタッチパネル４１ｂを有して構成され、表示部４１ａに各種インターフェイスを表示するとともに、ユーザーからのタッチ入力を受付可能としている。
【００６１】
さらにリモコン装置４は、選曲処理に必要とされるデータベース、各種プログラム、並びに、プログラム実行に伴って発生する各種情報を記憶する記憶部として、メモリ４４、そして、これら構成を統括して制御するためのリモコン側制御部を備えて構成される。リモコン側制御部には、ＣＰＵ４５、タッチパネルモニター４１に対して表示する映像を形成する映像制御部４３、表示する映像情報を一時的に蓄えるビデオＲＡＭ４２、タッチパネルモニター４１あるいは操作部４７からの入力を解釈してＣＰＵ４５に伝える操作処理部４８が含まれている。
【００６２】
リモコン装置４は、無線ＬＡＮ通信部４６によって、アクセスポイント１１０と無線接続されることで、ＬＡＮ１００によって構成されるネットワークに接続される。なお、各リモコン装置４は、特定のカラオケ装置５に対して事前に対応付けされている。リモコン装置４から出力される各種命令は、対応付けされたカラオケ装置５にて受信されることとなる。
【００６３】
このようなリモコン装置４の構成により、ユーザーからの各種入力をタッチパネルモニター４１、あるいは、操作部４７から受付けるとともに、映像情報をタッチパネルモニター４１の表示により各種情報を提供することで、カラオケ装置５に対して出力する予約情報を送信する選曲処理など、各種処理を行うことが可能となっている。
【００６４】
本実施形態では、外部照明装置２に代え、カラオケ装置５に設けられたタッチパネルモニター５９を使用して照明を行うこととしている。また、携帯端末１のタッチパネル表示部１７のみならず、カラオケシステム側のモニター６１に対しても作品情報中のページ構成情報を表示することで、その場に集う他のユーザーと一緒に電子書籍の閲覧を楽しむことを可能としている。携帯端末１は、無線ＬＡＮ通信部１８ａを使用してアクセスポイント１１０に通信接続し、カラオケ装置５と通信することが可能である。
【００６５】
携帯端末１を使用して、電子書籍を閲覧する場合、閲覧の進行に応じて照明制御コマンドがカラオケ装置５に送信される。カラオケ装置５は、受信した照明制御コマンドに基づいて、フロントパネルに設置されたタッチパネルモニター５９を照明制御する。また、閲覧の進行に応じて、音響制御コマンドがカラオケ装置５に送信される。カラオケ装置５は、受信した音響制御コマンドに基づいて、ハードディスク５３に記憶している音響ファイルを読出し、音響制御部５６に再生させる。なお、音響ファイルは、携帯端末１側で記憶しておいてもよい。その場合、使用対象となる音響ファイルを事前にカラオケ装置５に送信しておく、あるいは、携帯端末１で音響ファイルを再生し、再生された音響信号をカラオケ装置５に送信することで、スピーカー６２Ｒ、６２Ｌから拡声出力させることとなる。
【００６６】
ところで、カラオケボックスでは、このような電子書籍サービスと本来のサービスであるカラオケを同時に行うことが考えられる。そのため、本実施形態の楽曲再生処理では、両サービスを並行して行うことが可能となっている。
【００６７】
図１３は、カラオケ装置５で実行される楽曲再生処理を示すフロー図である。カラオケ装置５は、予約テーブル上に登録された予約情報をチェックし、次に再生すべき楽曲の有無を判定する（Ｓ３０１）。次に再生すべき楽曲が無い場合（Ｓ３０２：Ｎｏ）には、電子書籍サービスが優先して実行される。携帯端末１を使用して、電子書籍を閲覧中の場合（Ｓ３０９：Ｙｅｓ）、カラオケ装置５は、携帯端末１から受信したページ構成情報を画面に大きく表示する（Ｓ３１０）。図１４（Ａ）には、その場合におけるモニター６１の様子が示されている。本実施形態では、モニター６１の画面一杯にページ表示枠６０１を設け、作品情報中のページ構成情報を表示している。また、カラオケ装置５は、携帯端末１から送信された音響制御コマンドに基づいて、音響ファイルを再生し、スピーカー６２Ｒ、６２Ｌから拡声出力する（Ｓ３１１）。そして、カラオケ装置５は、携帯端末１から送信された照明制御コマンドに基づいて、タッチパネルモニター５９による照明を行う（Ｓ３１２）。このようにカラオケを行っていない場合には、カラオケシステムのモニター６１をフルに活用して電子書籍を楽しむことが可能であり、また、カラオケシステムのスピーカー６２Ｒ、６２Ｌを使用した音響効果、並びに、タッチパネルモニター５９による照明効果を合わせて楽しむことが可能である。
【００６８】
また、次に再生すべき楽曲がある場合（Ｓ３０２：Ｙｅｓ）、楽曲情報を読み出して再生開始する（Ｓ３０３）。その際、電子書籍を閲覧中で無い場合（Ｓ３０４：Ｎｏ）には、通常のカラオケと同様、モニター６１には楽曲に対応する背景映像、並びに、楽曲の進行に同期した歌詞が表示される（Ｓ３０７）。また、タッチパネルモニター５９にも背景映像を表示する、あるいは、リモコン装置４のタッチパネルモニター４１と同様、楽曲を選曲するユーザーインターフェイスとして使用することが可能である。
【００６９】
また、楽曲再生中に、電子書籍を閲覧している場合（Ｓ３０４：Ｙｅｓ）には、通常のカラオケにおける背景情報に代えて、ページ構成情報をモニター６１が表示される。その際、Ｓ３１０の場合よりも縮小した形態でページ構成情報が表示される（Ｓ３０５）。なお、楽曲再生途中から電子書籍の閲覧を開始した場合についても、電子書籍を閲覧していると判定（Ｓ３０４：Ｙｅｓ）される。図１４（Ｂ）には、その場合におけるモニター６１の様子が示されている。本実施形態では、モニター６１内には縮小されたページ表示枠６０１が設けられ、作品情報中のページ構成情報が表示される。また、モニター６１上、ページ表示枠６０１以外の箇所には、歌詞文字表示欄６０２が設けられ、再生中の楽曲の歌詞文字が表示される。モニター６１に表示されるページ構成情報、再生される楽曲の歌詞文字は、どちらも文字を含んでいるため、カラオケの背景映像のように重ねて表示すると、判読が困難になることが考えられる。本実施形態では、電子書籍とカラオケの両サービスを同時に行う場合、このようにモニター６１の画面を棲み分けて表示することで、同時に両サービスを適切な形態で提供することとしている。
【００７０】
さらに、楽曲再生中に、電子書籍を閲覧している場合（Ｓ３０４：Ｙｅｓ）は、Ｓ３１２と同様、照明制御コマンドによりタッチパネルモニター５９を照明制御する（Ｓ３０６）。なお、楽曲再生中は、再生された伴奏音、歌唱音声がスピーカー６２Ｒ、６２Ｌから拡声出力されているため、電子書籍に関する音響出力はカラオケ装置５では行わない。楽曲再生中には、携帯端末１のスピーカー１６ａを使用して音響出力することが考えられる。なお、カラオケ装置５側に音響ファイルを格納している場合には、カラオケ装置５から携帯端末１に対して音響ファイル、あるいは、再生された音響信号が送信される。
【００７１】
以上、カラオケシステムを使用して電子書籍サービスを提供する形態について説明したが、本実施形態では、外部照明装置２等、新たな設備を導入する必要性を抑えることが可能となる。なお、カラオケシステムを使用する場合であっても外部照明装置２を別途設ける、あるいは、従前からカラオケのために設置されている外部照明装置２を、電子書籍サービスのために使用することとしてもよい。また、本実施形態では、モニター６１を電子書籍閲覧用の表示装置として使用し、タッチパネルモニター５９を照明用に使用しているが、モニター６１を照明用に使用する、あるいは、モニター６１とタッチパネルモニター５９の両方を照明用に使用する形態としてもよい。また、携帯端末１は、カラオケシステムのリモコン装置４と兼用する形態とすることとしてもよい。
【００７２】
以上、本実施形態の電子書籍サービスについて、携帯端末１を使用した形態、携帯端末１とカラオケシステムを使用した形態では、携帯端末１において、電子書籍プログラムを実行することで、携帯端末１においてページ構成情報を閲覧するとともに、携帯端末１から外部照明装置２、外部音響装置（カラオケ装置５）にコマンドが送信される。本発明に係る電子書籍プログラムは、携帯端末１で実行される形態に限られるものでは無く、携帯端末１を含む各種情報処理装置で実行されることとしてもよい。
【００７３】
図１５は、カラオケ装置５において電子書籍プログラムが実行される実施形態を示した図である。カラオケ装置５は、図１で説明した場合と同様、作品情報、外部制御情報を各種サーバー装置から受信する。携帯端末１は、ユーザーから閲覧するためのインターフェイス、そして、ページ構成情報を表示する表示部として機能する。カラオケ装置５は、携帯端末１で指示されたページ変更操作等の操作情報を受け付け、対応するページ構成情報を携帯端末１に送信する。携帯端末１は、タッチパネル表示部１７に受信したページ構成情報を表示することで、ユーザーに電子書籍を閲覧させる。また、カラオケ装置５は、携帯端末１から受け付けた操作情報に基づいて、外部照明装置２に照明制御コマンドを送信する。また、カラオケ装置５は、携帯端末１から受け付けた操作情報に基づいて、音響制御コマンドを読み出し音響制御ファイルの再生を行う。
【００７４】
このように、電子書籍プログラムは、カラオケ装置５において実行される形態であるいは。あるいは、電子書籍サービスのために設けたセットトップボックス６を使用することとしてもよい。図１６は、カラオケ装置５において電子書籍プログラムが実行される実施形態を示したである。この実施形態では、ネットワークに接続されたセットトップボックス６が各種サーバー装置から、作品情報、外部制御情報を受信する。図１５の場合と同様、携帯端末１は、ユーザーインターフェイス、及び、ページ構成情報を表示する表示部として機能する。セットトップボックス６は、携帯端末１で指示されたページ変更操作等の操作情報を受付、対応するページ構成情報を携帯端末１に送信し、携帯端末１において電子書籍をユーザーに閲覧させる。また、セットトップボックス６は、携帯端末１から受け付けた操作情報に基づいて、外部照明装置２に照明制御コマンドを送信し、閲覧に同期して外部照明装置２を照明させる。また、セットトップボックス６は、携帯端末１から受け付けた操作情報に基づいて、外部音響装置としてのカラオケ装置５に音響制御コマンド送信し、効果音やＢＧＭ等を再生させる。
【００７５】
図１５、図１６で説明した実施形態では、カラオケ装置５、あるいは、セットトップボックス６において電子書籍プログラムが実行される。このような形態では、ページ構成情報が外部構成（携帯端末１）で表示されることになるため、カラオケ装置５、セットトップボックス６で実行される処理負担が軽減される。よって、外部照明装置２や外部音響装置（この場合、カラオケ装置５）に対して送信される照明制御コマンド、音響制御コマンドの送信遅延を抑制することが可能となる。以上、図１５、図１６で説明したように、本発明に係る電子書籍プログラムは、携帯端末１のみならず、カラオケ装置５、セットトップボックス６等の各種情報処理装置で実行されるものであってもよい。
【符号の説明】
【００７６】
１：携帯端末                              ４３：映像制御部
２：外部照明装置                          ４４：メモリ
３：外部音響装置                          ４５：ＣＰＵ
４：リモコン装置                          ４６：無線ＬＡＮ通信部
５：カラオケ装置                          ４７：操作部
６：セットトップボックス                  ４８：操作処理部
７：第１サーバー装置                      ５０：ＣＰＵ
８：第２サーバー装置                      ５１：操作部
９：通信部                                ５２：操作処理部
１１：制御部                              ５３：ハードディスク
１２：ＲＡＭ                              ５４：赤外線通信部
１３：記憶部                              ５５ａ：ＬＡＮ通信部
１４：画像処理部                          ５５ｂ：無線ＬＡＮ通信部
１５：音響処理部                          ５６：音響制御部
１６：音響処理部                          ５７：メモリ
１６ａ：スピーカー                        ５８ａ：ビデオＲＡＭ
１６ｂ：マイクロホン                      ５８ｂ：映像再生部
１７：タッチパネル表示部                  ５９：タッチパネルモニター
１７ａ：タッチパネル                      ５９ａ：表示部
１７ｂ：表示部                            ５９ｂ：タッチパネル
１８ａ：無線ＬＡＮ通信部                  ６０：映像制御部
１８ｂ：近距離無線通信部                  ６１：モニター
１９：入力スイッチ                        ６２Ｒ、６２Ｌ：スピーカー
２１：外部メモリ接続端子                  ６３ａ、６３ｂ：マイクロホン
２２：無線ＬＡＮ通信部                    ６９ｂ：無線ＬＡＮ通信部
２３Ｒ、２３Ｇ、２３Ｂ：ＬＥＤ            ７１：制御部
２４：制御部                              ７２：通信部
３１：制御部                              ７３：作品検索データベース
３２：無線ＬＡＮ通信部                    ７４：作品本体データベース
３３：記憶部                              ８１：制御部
３４Ｒ、３４Ｌ：スピーカー                ８２：通信部
４１：タッチパネルモニター                １１０：アクセスポイント
４１ａ：表示部                            ６０１：ページ表示枠
４１ｂ：タッチパネル                      ６０２：歌詞文字表示欄
４２：ビデオＲＡＭ
【図１】
2017183000.tif 000003
【図２】
2017183000.tif 000004
【図３】
2017183000.tif 000005
【図４】
2017183000.tif 000006
【図５】
2017183000.tif 000007
【図６】
2017183000.tif 000008
【図７】
2017183000.tif 000009
【図８】
2017183000.tif 000010
【図９】
2017183000.tif 000011
【図１０】
2017183000.tif 000012
【図１１】
2017183000.tif 000013
【図１２】
2017183000.tif 000014
【図１３】
2017183000.tif 000015
【図１４】
2017183000.tif 000016
【図１５】
2017183000.tif 000017
【図１６】
2017183000.tif 000018